Podtech/llm-jp-corpus-v4-ja_patent huggingface dataset:
(57)【要約】【課題】お年寄りや、体の不自由な方、ぎっくり腰、一人で起き上がるのに困難な方。そんな方々や、介護を受けるほどではないのですが、起きるのに不安がある方。【解決手段】図２のように矢印のように動かせば自然と力をさほど使わずに体を起こすことができます。体の支点と重力とを方向に変える事によって力をさほど加えずとも体が起きてきます。自分で起きることができ自信がもてます。腰を痛めず起き上がることが可能です。一度腰を痛めた人にも安心してお使いいただけます。【選択図】図１
2005218808.tif 000002
【特許請求の範囲】
【請求項１】
ハンドルとひもと足置き位置を設けたことを特徴とする、起きた
【請求項２】
足置き位置をスライドして変えられることを特徴とする請求項１に記載の起きた。
【請求項３】
ひもの長さを変えられることを特徴とする請求項１に記載の起きた。
【発明の詳細な説明】
【技術分野】
【０００１】  この発明は、腰を痛めた人や痛めないように起き上がることに関する。
【背景技術】
【０００２】  起き上がる動作をよりスムーズに力を加えずにできるための器具です。図２のように足の裏に足置きをあてて→１の方向に動かす、そのとき両手でしっかりと図１−１のハンドルを握ります。自然と→２の方向に体が起きてきます。
【発明の開示】
【発明が解決しようとする課題】
【０００３】しかしながら、以上の技術によれば、腰を痛めて起き上がることが困難、手の力が弱く体を支えられない、一人で起き上がることが困難
そこで、この発明は、体の支店を利用して少量の力で、一人で起き上がることを提供することを課題とする。
【課題を解決するための手段】
【０００４】  以上の課題を解決するために、第一発明は、人が体の支点と重力をバランスよくつかうことによって体を起こすことができることを特徴
とする器具、起きた。です
また、第二発明は、紐の長さ、足のせ位置を変えられる、誰もが自分のサイズにあわせられる、ことを特徴とする器具、起きた。
【発明の効果】
【０００５】  お年寄りや体の不自由な方腰を痛めている方などが、介護してもらわなくても一人で起き上がることができる器具です。また長さも自由の変えられ、どなたでも扱うことができます。
【発明を実施するための最良の形態】
【０００６】  この発明の一実施形態を、図１に示す。
手で握る部分をもちやすくなったハンドル（図１−２）、足のせ位置をスライドさせ自由に移動可能（図１−２）、ひもの長さも調整可能、自分の体系に合わせてベストのポジションを選べる。（図１−３）【０００７】「実施形態の効果」
この実施形態によれば、図１−１ハンドルは一番力がはいりやすい形状になっています。図１−２は足の裏が痛くならず、ずれにくく力を方向に変えることが出来ます。スライドして位置を変えられます。図１−３は長さを調整します。【０００８】「他の実施形態」
図１の実施形態では、１−ハンドルでは凹凸グリップですが、他の実施形態では、平らなグリップのものでも良い。
【産業上の利用可能性】
【０００９】      あおむけになり図１−２に片足の裏を乗せ上まで持ち上げるとヒップアップの効果が期待できます、そのときハンドルを引きながら足上げをサポートします。左右交互に足の上げ下げを繰り返したり、足を曲げずにお腹にちかずけると、より効果が期待できます。
【図面の簡単な説明】
【００１０】
【図１】この発明の形態を示す斜視図である。
【図２】起きた、の使用方法、→１の方向に進むと→２の方向に体が起きる。
【符号の説明】
【００１１】      図１    １ハンドル  ２足のせ位置  ３長さ調節
図１    →１動かす方向  →２、１を動かしたことによって動く方向
【図１】
2005218808.tif 000003
【図２】
2005218808.tif 000004
(57)【要約】【課題】従来のトイレ用ロールペーパーより容易に使用できるように改良する。【解決手段】ミシン目線入りのトイレ用ロールペーパーにおける、前記ミシン目線を山形ミシン目線とした。【選択図】      図１
2005218810.tif 000002
【特許請求の範囲】
【請求項１】
トイレ用ロールペーパーにおいて、ペーパーの引き出し方向に山形となっている切り取り用のミシン目線を、一定の間隔で設けたことを特徴とするトイレ用ロールペーパー。
【発明の詳細な説明】
【技術分野】
【０００１】本発明は、主に便所で使用されている、トイレ用ロールペーパーに関するものある。
【背景技術】
【０００２】従来から多く使用されている、トイレ用ロールペーパーには、図３と図４に示すように、紙巻器のカッターと平行になるように横方向に直線状のミシン目が入れられている。
【発明の開示】
【発明が解決しようとする課題】
【０００３】従来のトイレ用ロールペーパーを紙巻器に装着した場合、カッターとミシン目線が一致したとき、次に引き出すときの「つまみ」となる部分が残らない。このため引き出そうとする度にカッターを持ち上げてロールペーパーの端をつまみ出さねばならず面倒であった。
【課題が解決するための手段】
【０００４】本発明のトイレ用ロールペーパーは、このような従来の問題点を解決するためになされたもので、紙の引き出し方向に山形になっている切り取り用のミシン目線を、一定の間隔で設けたことを特徴とするものである。
【発明の効果】
【０００５】この発明によれば、ロールペーパーを、そのミシン目線部分で紙巻器のカッターによって切断すると、同ペーパーはミシン目線に沿って山形に切断され、その山形部分がカッターから舌片となって残る。このためこの舌片を引き続きペーパーを引き出すときの「つまみ」と使用することができ、ペーパーの引き出しが容易になる。
【発明を実施するための最良の形態】
【実施例】
【０００６】以下、図面に従って本発明の実施例について説明する。図１と図２は、実施例のトイレ用ロールペーパー１を示したものであり、紙の厚さ・幅・長さは従来のトイレ用ロールペーパーと同形態になっており、その特徴は引き出し方向にミシン目線２を設けた点にある。
【実施例】
【０００７】このロールペーパーを、図２に示すように、紙巻器３にセットして手前に引き出してカッター４で切断すると、ロールペーパーはミシン目線２にそって山形に切断され、カッター４の下側に山形の「つまみ５」が残る。引きつづき、ロールペーパーを引き出すときは、この「つまみ５」をつまんで簡単に引き出すことができる。【０００８】又、この「つまみ５」となって残る、山形の淵に色を付ける事により、ロールペーパー本体１と「つまみ５」が色別され明確なるために、使い易くなる。
【図面の簡単な説明】
【図１】実施例のトイレ用ロールペーパーを示した斜視図。
【図２】図１のロールペーパーの使用状態を示した斜視図。
【図３】従来のトイレ用ロールペーパーを示した斜視図。
【図４】従来のトイレ用ロールペーパーの使用状態を示した斜視図。
【符号の説明】
１  ロールペーパー本体
２  ミシン目線
３  紙巻器
４  カッター
５  つまみ
【図１】
2005218810.tif 000003
【図２】
2005218810.tif 000004
【図３】
2005218810.tif 000005
【図４】
2005218810.tif 000006
【手続補正書】
【提出日】平成16年3月24日(2004.3.24)
【手続補正１】
【補正対象書類名】明細書
【補正対象項目名】０００８
【補正方法】変更
【補正の内容】
【０００８】又，この「つまみ５」となって残る、山形の縁に色を付ける事により、ロールペーパー本体１と「つまみ５」が色別され明確になるため、使い易くなる。
【手続補正書】
【提出日】平成16年7月5日(2004.7.5)
【手続補正１】
【補正対象書類名】特許請求の範囲
【補正対象項目名】請求項１
【補正方法】変更
【補正の内容】
【請求項１】
トイレ用ロールペーパーにおいて，ペーパーの引き出し方向に山形となっている切り取り用のミシン目線を、一定の間隔で設け、このミシン目線でペーパーを切り取ったとき、端部に形成される山形の縁にペーパーと異なる色を付けたことを特徴とするトイレ用ロールペーパー。
【手続補正２】
【補正対象書類名】明細書
【補正対象項目名】０００４
【補正方法】変更
【補正の内容】
【０００４】本発明のトイレ用ロールペーパーは、このような従来の問題点を解決するためになされたもので、紙の引き出し方向に山形になっている切り取り用のミシン目線を。一定の間隔で設け、このミシン目線でペーパーを切り取ったとき、端部に形成される山形の縁にペーパーと異なる色を付けたことを特徴とするものである。
【手続補正３】
【補正対象書類名】明細書
【補正対象項目名】０００６
【補正方法】変更
【補正の内容】
【０００６】以下、図面に従って本発明の実施例について説明する。図１と図２は、実施例のトイレ用ロールペーパー１を示したものであり、紙の厚さ・幅・長さは従来のトイレ用ロールペーパーと同形態になっており、その特徴は引き出し方向に山形になっている切り取り用のミシン目線２を設けた点にある。
【手続補正４】
【補正対象書類名】明細書
【補正対象項目名】０００８
【補正方法】変更
【補正の内容】
【０００８】又、この「つまみ５」となって残る、山形の淵に色を付ける事により、ロールペーパー１と「つまみ５」が色別され明確になるために、使い易くなる。
(57)【要約】【課題】扁桃病巣感染症（アレルギーや免疫疾患等）を引き起こす因子の一つであると云われている、チリ・ダニ・ホコリ・花粉・細菌類ウイルス等の口中、鼻腔、気管支等への侵入を防御する。特に、顔面の口鼻部分に直接隙間なく張り付けるタイプのマスクであるため、睡眠時に着用しても、ズレないハズレないという安定・安全性を高めた紐なしの保湿マスクを提供する。【解決手段】口及び鼻の呼吸口に粘着張り付け形のマスクが（１）口及び鼻の部分を囲う粘着張り付け部。（２）湿り気（１０％位の保湿）を帯びた空気を通す紙又は布製の覆う部分。から構成されることを特徴とする紐なしの扁桃病巣感染症予防マスク。【選択図】  図１
2005218805.tif 000002
【特許請求の範囲】
【請求項１】
口及び鼻の呼吸口に装着する粘着張り付け型の紐なしマスクが
（１）口及び鼻の部分を囲う粘着張り付け部。
（２）湿り気（１０％位の保湿）を帯びた空気を通す紙又は布製の覆う部分。
から構成されることを特徴とする扁桃病巣感染症予防マスク。
【発明の詳細な説明】
【発明の詳細な説明】
【技術分野】
【０００１】  本発明は、口及び鼻の呼吸機能部に直接はりつけて使用する、紐なしマスクに関する物である。【０００２】  更に詳しくは、本発明は確実にチリ・ダニ・ホコリ・細菌類・花粉等が口中、鼻腔、扁桃部、気管支等に入り込むのを防御する扁桃病巣感染症予防マスクに関するものである。
【背景技術】
【０００３】  従来より既存するマスクは、風邪予防、花粉症対策用、外科手術用等に利用されている紐（布製又はゴム製）付きの物である。【０００４】  これらマスクの利用形態としては、風邪や感染症予防、唾液や唾の飛散防止、花粉症対策用等に使われている事が知られている。【０００５】  前期したマスクの利用法は、多くの欠点、限界をともなうものである。例えば
（１）耳の後ろで縛る紐タイプは、ほどけてはずれ落ちたり、
（２）ゴム式で耳に掛けるタイプは、会話などする時に皺になったり
（３）両タイプとも、睡眠着用時には、ズレてしまって本来の目的ニーズに対応することができなかったり
などの欠点、限界を有するものである。
【発明が解決しようとする課題】
【０００６】  本発明は、前記したマスクを利用（使用）する従来品の欠点、限界に鑑み開発されたものである。
【０００７】  本発明は、マスクの利用（使用）方法について鋭意検討を加えた結果、特にアレルギーや免疫疾患、扁桃病巣感染等を引き起こす恐れのあるチリ・ダニ・花粉ホコリ・細菌類等の口中、鼻腔、気管支等への侵入を防御できるタイプのマスクの研究開発を進めた。
【０００８】  その結果、本発明者は、鼻及び口の回りに空気を通す紙製・布製の粘着加工したマスクを顔面の該当部に直接張り付けることとした。睡眠着用時も含め、はずれない・ズレナイ状態が達成されるということを見出した。
【０００９】  本発明は、前記した知見をベースにして完成されたものである。
本発明により、特に睡眠時の口呼吸しかできない人々のチリ・ダニ・ホコリ・花粉・細菌類等の口中、鼻腔、気管支等への侵入防御ができ、なおかつ口中、咽頭部の乾燥状態回避が実現できることで、アレルギーの原因因子の排除、風邪や細菌感染症の予防に役立つ。
【課題を解決するための手段】
【００１０】  本発明を概説すれば、本発明は、顔面の口及び鼻回りに装着した粘着張り付けタイプのマスクが
（１）口及び鼻の部分を囲う粘着張り付け部。
（２）湿り気（１０％位の保湿）を帯びた空気を通す紙又は布製の覆う部分。
から構成されることを特徴とする扁桃病巣感染症予防マスクに関するものである
【００１１】  以下、本発明の技術的構成及び商品形態について図を参照して説明する。
【００１２】  本発明の扁桃病巣感染症予防マスクの概略は、図１に示されている。図１において、
・１は粘着部、
・２は加湿マスク部
をそれぞれ示す。
【００１３】  本発明において、上記マスクの姿・形は、大人用・子供用、口専用と使用対象用途に応じて製作すれば良い。
また、マスクの形は、高低差をつけ、だ円型・ひし形等変形な物であっても、口・鼻を隙間なく顔面に接着できる形であれば良いものである。
【発明を実施するための最良の形態】
【００１４】  本発明の扁桃病巣感染症予防マスクの中核的な構成要素は、
（１）マスクを直接、顔面に張り付けることにより隙間がなくなり、チリ・ダニ・ホコリ・花粉・細菌類の侵入が防御できる。
（２）マスク部分の保湿効果で、口中・咽頭部が乾燥しない。
（３）口呼吸しかできないときは、睡眠時における本発明のマスクが最大限に威力を発揮する。特に、湿気に弱いとされる風邪ウイルスには効果的である。
【発明の効果】
【００１５】  本発明の扁桃病巣感染症予防マスク着用の最大の特徴点は、鼻が詰まって口呼吸に陥ってしまった時、特に睡眠時は、喉が異常に乾燥しホコリ等を吸い込んでしまう。従来品のマスクでは、こんな時、朝までにずれてハズレてしまいマスク本来の目的を成しえない。この状態が回避できるのが最大の特徴である。
【００１６】  本発明のマスク部分に湿気を持たせることにより、湿気に弱いと云われる風邪ウイルスへの対応ができる。
【００１７】  本発明の扁桃病巣感染症予防マスクは、アトピー性皮膚炎・喘息・花粉症等アレルギー疾患の原因因子であるチリ・ダニ・ホコリ等の体内侵入阻止の防波堤となり使用（活用）できる。
【００１８】  本発明の扁桃病巣感染症予防マスクは、口呼吸の習慣のある人に有効である。口呼吸をしている人は一般に、扁桃が汚く、口の中は乾燥しています。口の中が乾燥すると扁桃が炎症を起こし、扁桃病巣感染症（主にアレルギー疾患や自己免疫疾患等の難病のこと。代表的なものにアトピー性皮膚炎・掌せき膿ほう症・糸球体腎炎・間接リウマチ等々がある）を引き起こしやすくなると云われています
【００１９】  本発明の扁桃病巣感染症予防マスクは、上記難病の主原因の改善に寄与する。
【００２０】  従って、本発明の扁桃病巣感染症予防マスクは、上記のチリ・ダニ・ホコリ・風邪ウイルス等の体内侵入阻止を必要とする人々にとって、ズレない・外れないマスクは必要不可欠な物であり、その経済・産業・医療に寄与する社会的意義は大きいと思われる。
【図面の簡単な説明】
【図１】  本発明の扁桃病巣感染症予防マスクの概略図である。
【図２】  本発明の扁桃病巣感染症予防マスクの応用変形型の一つの例の概略図である。（ひし形）
【符号の説明】
１…………………粘着部
２…………………加湿マスク部
【図１】
2005218805.tif 000003
【図２】
2005218805.tif 000004
(57)【要約】（課題）従来の掛布団（掛毛団）は長方形であったが、Ｕ（Ｖ）カットが入ることによって、頭（顔）が楽々出せ、肩を出さないことで身体の冷えをおさえた布団を提供する。（解決手段）布団（１）の一辺にＵ（Ｖ）カットを入れ、斜線部（２）を取り除くことを特徴とする。（選択図）図１【特許請求の範囲】
【請求項１】
掛布団（掛毛団）のへりにＵ（Ｖ）のカットを入れた布団。
【発明の詳細な説明】
【発明の詳細な説明】
この発明は、掛布団（掛毛団）のへりにＵ（Ｖ）のカットを入れた布団に関するものである。
従来の掛布団（掛毛団）を首まで掛けると、肩が出てしまい、冬などはとても寒むく感じ、風邪をひく元となる。
又、肩まで引き上げると、逆に頭（顔）に掛布団（掛毛団）が被さり、口・鼻が塞がれ息苦しくなる。
本発明は、これらを解消し、冬でもぬくぬくと寝れる寝具を目指したものである。
【図面の簡単な説明】（図１）
本発明の斜視図である。
（符号の説明）
▲１▼は掛布団（掛毛団）
▲２▼取り除く箇所（斜線部分）
【図１】
2005218842.tif 000002
(57)【要約】      （修正有）【課題】わかりやすいつくりで力のつりあいや、力の働く方向を手ごたえとして感じながら遊べる木製玩具を提供する。【解決手段】左右大きさの違う蝶の羽に見立てた厚みのある木の板２枚の厚みの部分にリボン状の伸びない布もしくは皮革１を巻きつけ左右間隔を開けてつないだもの。棒の両端に垂直方向に平ゴムをつけ、反対側のゴムの先も同じように棒につけたテンション３と木製の太棒４（８〜１５本）の構成で、帯状の伸びない布１の真ん中に太棒４を直交するように置き、上から棒のついたゴムのテンション３を広げながら蝶の羽に見立てた厚みのある板２の外側のへこみにあてがう。このとき、布１とゴム３によって太棒４が挟み込まれるかたちになる。そして板２全体を両手で立ち上げることによって、太棒４を挟み込む力がより強くなり一定の地点で安定し自立させることができる。【選択図】  図２
2005218823.tif 000002
【特許請求の範囲】
【請求項１】
左右大きさの違う蝶の羽に見立てた厚みのある木の板２枚の厚みの部分にリボン状の伸びない布もしくは皮革（１）を巻きつけ左右間隔を開けてつないだもの（２）。棒の両端に垂直方向に平ゴムをつけ、反対側のゴムの先も同じように棒をつけたテンション（３）と木製の太棒８〜１５本（４）。
以上の構成からなり、帯状の伸びない布（１）とゴムのテンション（３）によって太棒８〜１５本（４）が挟み込まれるかたちで、一定の地点で安定し自立することで力の働きと力のかかり方を目で見て、手ごたえとして感じることのできる木製の玩具。
【発明の詳細な説明】
【発明の詳細な説明】
【技術分野】
【０００１】この発明は、力のつりあいと力の働く方向を自分の手ごたえによって感じ、学ぶことができるテンション構造を利用した木製玩具に関するものである。
【背景技術】
【０００２】従来の電池式や、充電式の玩具ではどうしても遊びというものが受け身になりやすい。大半の玩具が子供向けで、一定の年齢を過ぎると要らないものになっている。
【発明が解決しようとする課題】
【０００３】  これは次のような欠点があった。
イ  電池式や、充電式の玩具ではスイッチを押すだけで光りを発したり音が出たり、また動いたりするので、こどもはその変化に受け身がちになってしまい、こどもにとって重要な遊びにおいての積極性や想像力を育むことは難しい。
ロ  ＴＶのヒーローものやキャラクターものの玩具では流行り廃りがあり、ある年齢を過ぎると不要のものとなり捨てられる。
ハ  リハビリや介護施設でのコミュニケーションに玩具が用いられることが増えてきたが、積む、落とす、転がすなどの単純な作業の玩具が多く、玩具の難易度に幅が足りない。
【問題を解決するための手段】
【０００４】  半円形に近い形の厚みのある木の板２枚の厚みの部分にリボン状の延びない布もしくは皮革（１）を帯状に巻きつけ左右間隔を開けてつないだもの（２）。棒の両端に垂直方向に平ゴムをつけ、反対側のゴムの先も同じように棒をつけたテンション（３）と木製の太棒８〜１５本（４）。
本発明は、以上の構成からなる木製玩具である。
【発明を実施するための最良の形態】
【０００５】  左右大きさの違う蝶の羽に見立てた厚みのある木の板２枚の厚みの部分にリボン状の伸びない布もしくは皮革（１）を帯状に巻きつけ左右間隔を開けてつないだもの（２）。棒の両端に垂直方向に平ゴムをつけ、反対側のゴムの先も同じように棒につけたテンション（３）とキーストーン的役割を果たす木製の太棒８〜１５本（４）。
本発明は、以上の構成からなっている。
本発明の使い方は、帯状の伸びない布（１）の真ん中に太棒８〜１５本（４）を直行するように置き、上からゴムのテンション（３）を両手で広げながら蝶の羽に見立てた外側のへこみにそのゴムのテンションの棒の部分をあてがう。このとき、帯状の伸びない布（１）とゴムのテンション（３）によって太棒８〜１５本（４）が挟み込まれるかたちになる。そして蝶に見立てた厚みのある板２枚（２）全体を両手で立ち上げることによって、太棒８〜１５本（４）を挟み込む力がより強くなり一定の地点で安定し自立する。
【発明の効果】
【０００６】本発明の木製玩具は簡単なつくりでありながら、そのものがどうやって成り立っているのかが見てわかり、自分で立ち上げることで力の手ごたえも感じ取ることができる。実験的にいろんなものを挟み込んでみたり、崩さないように間の木を１本ずつ抜いていくといったゲームのような遊びに発展させてみたりできるので、試行錯誤することへの意欲を引き出し平衡感覚や考察力を養うことができる。指先に意識を集中させたり、両手を使ってバランスをとったり、手先の訓練にも適している。また、見た目にも美しいのでインテリアとしても置けるため、年齢性別問わず永く愛用できる。
【図面の簡単な説明】
【図１】本発明の斜視図である。
【図２】本発明の正面図である。
【図３】本発明の分解斜視図である。
【符号の説明】
１  帯状の伸びない布
２  蝶の羽に見立てた厚みのある板２枚組（本体）
３  棒のついたゴムのテンション
４  太棒８〜１５本
【図１】
2005218823.tif 000003
【図２】
2005218823.tif 000004
【図３】
2005218823.tif 000005
(57)【要約】      （修正有）【課題】口紅の持ち運びの際、バッグの中のさらに小さな化粧ポーチの中に口紅を入れなくても持ち運びが出来る口紅を提供する。【解決手段】紅筆５をスプリング９により出し入れ可能に収納する紅筆本体のケース１０を収納可能なクリップ本体及びキャップ２を口紅本体及びキャップ１に結合部３により結合し一体にすると共に、クリップ本体及びキャップ２に脱落防止用のストッパー４を設け、口紅を上着等の内ポケット等に挟んで持ち運ぶ。【選択図】図１
2005218821.tif 000002
【特許請求の範囲】
【請求項１】
口紅本体及びキャップに筆付きのクリップを取り付け（一体）ました
【請求項２】
別紙４−５の  図１〜図３内の  ▲３▼を設けたにより▲１▼と▲２▼を一体にすることが出来ます
【発明の詳細な説明】
【技術分野】
【０００１】本発明は筆付きのクリップと口紅本体及び口紅本体のキャップの、一体化に関する。
【背景の技術】
【０００２】従来の口紅には筆付きクリップが付いていないため多数の女性方が小さな化粧用ポーチ等の中に入れさらに化粧用ポーチをバッグに入れて持ち歩く人が多い。
【発明が解決しょうとしている課題】
【０００３】紅筆をクリップ本体のキャップに差し込みそのキャップと口紅本体及び口紅本体のキャップとを一体にしました。
【図面の簡単な説明】
【０００４】
【図１】    塗布の準備完了図。
【図２】    塗布終了後、紅筆を引き抜いた図。
【図３】    図２の筆の位置を反対にしてクリップキャップに差し込んだ図。
【符号の説明】
【０００５】▲１▼      口紅本体及びキャップ。
▲２▼      クリップ本体及びキャップ。
▲３▼      結合部。（▲１▼と▲２▼を一体にする）
▲４▼      ストッパー。（脱落防止）
▲５▼      紅筆。
▲６▼      ▲５▼と▲７▼との結合部。
▲７▼      筆の出し入れ棒。
▲８▼      筆の出入り口。（ガイド）
▲９▼      スプリング。
▲１０▼    紅筆本体のケース。
【図１】
2005218821.tif 000003
【図２】
2005218821.tif 000004
【図３】
2005218821.tif 000005
(57)【要約】【課題】  本発明は従来のおしり洗浄器を小型化し、軽量化することにより携帯ができるようにするものである。その上、水と電力の消費を減少し、使い方も簡単な簡易おしり洗浄器を提供することができる。【解決手段】  本発明は上記の課題を解決するために本体は円柱形のプラスチックと乾電池及びニクロム線を備えた。更に水を蓄える補水容器と本体を収める収納器を設ける手段を取った。【選択図】  図１
2005218829.tif 000002
【特許請求の範囲】
【請求項１】
プラスチックと乾電池及びニクロム線を備えた簡易おしり洗浄器
【請求項２】
水を蓄える補水容器と本体を収める収納器を設けた請求項１記載の簡易おしり洗浄器
【発明の詳細な説明】
【技術分野】
【０００１】本発明はおしりを洗う簡易おしり洗浄器に関するものである。
【背景技術】
【０００２】従来の洗浄器は便器本体に付属し高価で携帯できない。その上、多量の水と電力を消費する。また、携帯用もあるが本体が大きく構造も複雑で持ち歩くのに不便であるために普及していない。
【発明の開示】
【発明が解決しようとする課題】
【０００３】本発明はこのような従来の問題を解決しようとするもので小型化し軽量化することにより携帯ができる。その上、多量の水と電力を消費しない。また、使い方も簡単な簡易おしり洗浄器を提供することができる。
【課題を解決するための手段】
【０００４】本発明は円柱形のプラスチックと乾電池及びニクロム線を備えた簡易おしり洗浄器を提供することにより、上記課題を解決したものである。更に水を蓄える補水容器と本体を収める収納器を設けた。
以上のごとく構成された簡易おしり洗浄器。
【発明の効果】
【０００５】本発明は以上のような構造である。プラスチックを材料とするので小型化ができ、軽量で携帯に便利である。また、乾電池とニクロム線を使用するので寒い時、水を温めて使える。補水容器が備えてあるので本体を使用していない時、水を補充できるため洗浄器を使用する際、すぐに使える。収納器が備えてあるので収納が簡単で使いやすい。
【発明を実施するための最良の形態】
【０００６】本発明の簡易おしり洗浄器は図１に示されるように本体は円柱形のプラスチック１で内側にニクロム線３を配線する。上部にニクロム線３を熱する乾電池２を収納する。
【実施例】
【０００７】まず使用する際は補水容器１０から注入口４を通し水を本体に注入する。水が満杯になると本体を収納器から取り出し、外側から柔かいプラスチック１’を手の握力で押すと水が下部の噴出口８から出る。寒い時は電源スイッチ５を入れて水を温めて使用する。洗浄した後は本体が空になるので本体を手で押すことによりおしりを乾かすことができる。
【図面の簡単な説明】
【０００８】
【図１】本発明の本体の正面図である。
【図２】本発明の本体の斜視図である。
【図３】本発明の全体の正面図である。
【図４】本発明の全体の斜視図である。
【符号の説明】
【０００９】  １  …硬いプラスチック              ９  …フタ
１’…柔らかいプラスチック          １０…補水容器
２  …単３形アルカリ乾電池          １１…排水口
３  …ニクロム線                    １２…排水スイッチ
４  …注入口                        １３…管
５  …電源スイッチ                  １４…補水容器を支える支柱
６  …本体を支えるフック            １５…本体を支える支柱
７  …水を止めるストッパー          １６…基礎台
８  …噴出口
【図１】
2005218829.tif 000003
【図２】
2005218829.tif 000004
【図３】
2005218829.tif 000005
【図４】
2005218829.tif 000006
(57)【要約】【課題】従来の女性方の口紅の持ち運びはバッグの中のさらに小さな化粧ポーチの中に口紅を入れて外出するのがほとんどです  その日に依ってはバッグ等、もてない日もある。【解決手段】クリップの付いた、口紅  この口紅を上着等の内ポケット等に挟んでおけばバッグ等、持たずに外出できます。【選択図】図１
2005218822.tif 000002
【特許請求の範囲】
【請求項１】
口紅本体及びキャップにクリップを取り付け（一体）ました。
【請求項２】
別紙４−５の  図１の▲１▼と▲３▼  又は図２の▲１▼と▲２▼を一体にすることが出来ます。
【発明の詳細な説明】
【技術分野】
【０００１】本発明はクリップと口紅本体及び口紅本体のキャップの、一体化に関する。
【背景の技術】
【０００２】従来の口紅にはクリップが付いていないため多数の女性方が小さな化粧用ポーチ等の中に入れさらに化粧用ポーチをバッグに入れて持ち歩く人が多い。
【発明が解決しょうとしている課題】
【０００３】口紅本体及び口紅本体のキャップとクリップを一体にしました。
【図面の簡単な説明】
【０００４】
【図１】口紅本体にクリップを設けた。
【図２】口紅本体のキャップにクリップを設けた。
【符号の説明】
【０００５】▲１▼    クリップ。
▲２▼    口紅本体のキャップ。
▲３▼    口紅本体
【図１】
2005218822.tif 000003
【図２】
2005218822.tif 000004
(57)【要約】      （修正有）【課題】ジュウタン、カーペットのゴミから車のシートのゴミ、衣類等の上着に付いたゴミ、埃、髪の毛等を、安価、軽量、コンパクトで、手に馴染み、操作しやすく、上着を着たまま除去出来る携帯用に優れたゴミ取り器具を提供する。【解決手段】粘着テープ６を直接、ジュウタン、カーペットに、指で強く押し付けて操作出来るように、粘着テープ６のゴミ取り金具に、手に馴染みやすく指を保護するカバー２及びゴミ取り金具から粘着テープ６が脱落するのを防ぐ離脱防止ガイド３の下部に二等辺三角形又は半円形の構造体を設けた。【選択図】図１
2005218828.tif 000002
【特許請求の範囲】
【請求項１】
手の指を保護するカバー、離脱防止ガイドを設けた上部部材下部に、半円形の構造体又は、二等辺三角形の構造体を設けた粘着テープのゴミ取り金具
【発明の詳細な説明】
【技術分野】
【０００１】  本発明は、粘着テープの粘着力によるゴミを粘着し取り除く掃除器具に関する。
【背景技術】
【０００２】  従来、ジュウタン、カーペットに付いたゴミ、毛等を取る掃除器として、粘着力を利用した紙性粘着テープのゴミ取り器がある【０００３】  ジュウタン、カーペットの表層に取り付いたゴミ、ペットの毛等を取り除くには、十分効果があった。【０００４】  しかし、ジュウタン、カーペットの底に入り込んだゴミ、絡みこびりついた、頑固な毛、ゴミ等を取り除く為には、強粘土の粘着性の有るテープを必要とする。【０００５】  強粘土の粘着テープ必要とした場合、従来の紙性粘着テープを活用したゴミ取り器では、粘着力が弱かった。【０００６】  強粘土の粘着テープ必要とした場合、利用可能な強粘土の粘着力を有する布性粘着テープが存在する。【０００７】  強粘土の粘着力を必要とするコンポ作業、型枠仮止め用、強粘土布性粘着テープをゴミ取りに転用する。【０００８】  既存の紙性粘着テープで絡み付いたゴミ、毛等を強引に取り除去しようとすると、手の握り柄に力が加わり、柄が曲がる等の故障の原因となる。
【特許文献１】公開番号：特願平８−６６３５０がある
【発明の開示】
【発明が解決しようとする課題】
【０００９】  紙性粘着テープの粘着力では、ジュウタン、カーペットの底にこびり付いたゴミ、絡み付いた毛等を取り除くことの出来ない点である。
【課題を解決しようとする課題】
【００１０】  本発明は、強粘土を有する布性粘着テープを用いて、頑固にこびり付いたゴミ、毛等を取り除く、ゴミ取り金具を粘着テープの中心部に取り付け使用する事を特徴とする、この為、手によるテープを押し付ける力が直接テープに加わる為にジュウタン、カーペットの底のゴミ等を容易に取り除く事か可能になる。
【発明の効果】
【００１１】    本発明のゴミ取り金具を用いると握り柄を必要としない為、収納場所を取らない。
粘着テープの中心部にゴミ取り金具を取り付けて使用する為に、手によるテープを押し付ける力が直接テープに加わる為ジュウタン、カーペットの底のゴミ等を容易に取り除く事か可能になる。
【発明を実施するための最良の形態】
【００１２】  ゴミ取り金具を粘着テープ中心部に取り付け使用する為に、構造が極めて簡単に出来、部品点数が少なくてすむ。
【実施例１】
【００１３】  図１は、粘着テープに本発明、ゴミ取り金具を取り付けた、側面図【００１４】上部部材１をプラスチック板としの手の指を保護するカバー２、指を包み込むように左右両端を上部に曲げた形状とし、人差し指、中指、薬指が楽に入る幅とする。【００１５】  上部部材１の、離脱防止ガイド３は、粘着テープが回転する際ゴミ取り金具がテープから離脱するのを防ぐ為に上部部材１のプラスチック板前後を下方９０度に折り曲げた離脱防止ガイドとする。【００１６】  上部部材１内のゴミ取り金具離脱防止ガイド３は、粘着テープ幅より、やや大きめの幅とし両端を下方９０度に曲げる。【００１７】  上部部材１の下部に設けた二等辺三角形の構造体４は、二等辺三角柱のプラスチック性とし二等辺三角柱内を空洞とする。【００１８】  上部部材１の下部に設けた半円形の構造体５は、プラスチック性としても良い。【００１９】  上記、記述のゴミ取り器の具部材を、プラスチック押し出す金型より成形されたプラスチックの構造体としても良い【００２０】  上記記述のように、粘着テープ内に金具を差込み取り付け、指でゴミ取り金具を押しながら左右に回転させゴミをテープに粘着しゴミを取る事が出来る。
頑固にこびり付いたゴミ毛等を取る際、指に力を加えゴミ取り器具をカーペットに押さえつけるように左右回転させてゴミを取る、指の力が下部の二等辺三角形又は、半円形の構造体を通り直接粘着テープの下端に力が加わる為、ジュウタン、カーペットの底にこびり付いたゴミ等を取り除く事が出来る。
【産業上の利用可能性】
【００２１】  上記記述した様に、ゴミ取り金具は、構造がシンプルな為、手に馴染み、ジュータン、カーペットだけのゴミ取りの使用に留まらず、車のシート、又上着を着た状態で上着等に付いたゴミ、埃、髪の毛等の除去にも活用出来る。
【図面の簡単な説明】
【００２２】
【図１】本発明のゴミ取り金具を粘着テープに取り付けた側面図
【図２】ゴミ取り金具の斜視図
【図３】ゴミ取り金具を粘着テープに取り付けた斜視図
【図４】ゴミ取り金具を粘着テープに取り付けた正面図、側面図
【図５】既存の粘着テープのゴミ取り器
【符号の説明】
１  上部部材
２  指を保護するカバー
３  離脱防止ガイド
４  二等辺三角形の構造体
５  半円形構造体
６  粘着テープ
７  柄
８  粘着紙テープ
【図１】
2005218828.tif 000003
【図２】
2005218828.tif 000004
【図３】
2005218828.tif 000005
【図４】
2005218828.tif 000006
【図５】
2005218828.tif 000007
(57)【要約】      （修正有）【課題】より使い易い、短時間で脱毛処理が出来、斑の無い脱毛法を提供する。【解決手段】フラッシュランプから皮膚への単位面積あたりの光照射エネルギーは、レーザを用いての脱毛法に比べ少量であり、加えて光照射後の皮膚表面温度の上昇を即座に抑える為に、熱電子冷却板で冷却された脱毛機の底面を皮膚へ直接接触する事により冷却を行なう。また脱毛の斑を無くすために、移動式フラッシュランプ脱毛機を脱毛する皮膚の表面に接触させながらスキャンさせ、脱毛機の移動距離、移動速度をエンコーダ付きの車輪で感知させながら光照射タイミングをコントロールできる。この事により脱毛のための光照射が連続的になり光照射間隔が均一で、光照射エネルギーも均一化されることにより短時間で均一な脱毛処理が行なわれる事になる。加えて、脱毛処理された部位を再度光照射させない為に光照射部横側にマークを付けて、照射部位を明らかにする。【選択図】図１
2005218824.tif 000002
【特許請求の範囲】
【請求項１】
脱毛時にフラッシュランプを付けた脱毛移動体は、脱毛する皮膚の表面上を接触させてスキャンさせる脱毛機
【請求項２】
脱毛時のフラッシュランプ発光時のタイミングを脱毛移動体の移動距離とを連動させる為にエンコーダにて移動距離を感知し、皮膚表面への光過照射を防ぐ脱毛機
【請求項３】
脱毛時のフラッシュランプからの光により皮膚表面温度上昇を防ぐ目的として熱電子冷却機で冷やされた金属面を直接皮膚へ接触させて皮膚を冷却する脱毛装置
【請求項４】
脱毛機はフラッシュランプ部と請求項２の熱電子冷却部は一つ移動体として接続された脱毛機
【請求項５】
脱毛時の移動速度にはフラッシュランプ発光の限界を生じる、その時の速度限界を知らせるアラームを備えた脱毛機
【請求項６】
既に脱毛された部位を明らかにするために移動体から皮膚表面に印を付ける脱毛機
【発明の詳細な説明】
【特許の詳細な説明】
【技術分野】
【０００１】  体毛の脱毛に関する装置使用の安全性、簡略化、脱毛処理の均一性を含む脱毛装置
【背景技術】
【０００２】  現在は、男女を問わず、また年齢を問わず美容、健康に大きな関心をもつ時代となっている。その中で体毛の処理は、皮膚を露呈する春、夏、秋の季節に大きな関心となっている。よって多くの方が、簡単、安価で脱毛の恩恵に預かりたいと願っているものと考えられる。
そのような中で、脱毛方法として提案されている方法は、レーザ脱毛法、化学薬品脱毛法、引抜き（粘着、機械）脱毛法、電気針脱毛法、フラッシュランプ脱毛法等が上げられる
【発明が解決しようとする課題】
【０００３】  今まで用いられてきた脱毛法は、レーザ光の過照射による火傷、化学薬品による皮膚の過剰反応、引抜き、電気針による苦痛、腫れ等の多くの問題点を含んでいた。加えて脱毛に多大な費用、時間が掛かる為に、多くの人に恩恵が行き渡らない所にも問題であった。
また、脱毛装置だけの問題ではなく機械を使って脱毛するオペレーターの技術レベルの違いにより脱毛結果の相異が出てきていた。
【課題を解決する手段】
【０００４】    本発明は、フラッシュランプを用いる事により今までの提案されていた方法に比べて照射エネルギーが小さく、また無理な機械的、化学的な作用を必要としない方法を取る事によって脱毛をする人への危険性を回避する事ができる。
加えて、フラッシュランプ光の多重照射をコントロールする為に皮膚表面の移動距離をエンコーダで感知し、決められた移動距離に到達した時に次のフラッシュランプが点灯する脱毛機である。この事により今までのレーザ光線に比べ皮膚への照射エネルギーが小さくなる事で火傷の危険性を防ぐ事が可能になる、
加えて、フラッシュランプからの光照射による皮膚の温度上昇を抑える為に冷却された金属で皮膚表面を撫でることから火傷の可能性を大きく低減化できる。
また、今までの脱毛方法は、光照射部の抜毛位置決めによる困難性から、脱毛に掛かる時間が長いという問題点に関しては、本発明はの皮膚表面を連続的にスキャンする方法により脱毛の所要時間を短縮する事が可能になる。これによりオペレータの技術レベルに関係なく短時間で均一な脱毛が可能になる。
今まで問題であった、脱毛での取り残しを最小限にする為に、処理修了を知らせる皮膚表面でのマーキングにより取り残し問題を回避する。
【発明を実施するための最良の形態】
【０００５】  今回考案した移動式フラッシュランプ脱毛機は、脱毛移動部を手動で移動させる為に移動式フラッシュランプ脱毛機の上部に付いている▲１▼移動持ち手で皮膚の表面に移動式フラッシュランプ脱毛機の底面の▲６▼冷却板を接触しながら移動させる。【０００６】  皮膚の表面を移動式フラッシュランプ脱毛機が移動した事を▲２▼エンコーダ付き車輪で感知し、設定された移動距離に同期して▲３▼反射板に覆われた▲４▼フラッシュランプが発光し脱毛を行なう。この指定された移動距離は、▲１３▼電源及び制御部によって可変設定できるものとする。この事により、皮膚への光過照射を防ぐ事が可能になる。【０００７】  度重なる光を照射された皮膚表面は、温度が上昇し易いので▲５▼熱電子冷却版によって冷やされた▲６▼底面冷却板を皮膚表面に接触させて皮膚表面の火傷を回避する事ができる。【０００８】  ▲５▼熱電子冷却板の上部は、温度が上昇するので、▲７▼ヒートシンクと▲８▼冷却ファンによって冷却し、▲８▼冷却ファンから出される温度上昇した空気を▲９▼外装版に付けられた▲１０▼スリット窓を介して外に出されることにより▲６▼底面冷却板の温度を安定させる事が可能となる。【０００９】  移動式フラッシュランプ脱毛機は、▲１３▼電源及び制御部で電力をフラッシュランプ、エンコーダ、熱電子冷却板へ供給し、またエンコーダからの移動式フラッシュランプ脱毛機の移動距離、移動速度からフラッシュランプ発光時のタイミング、移動速度限度を感知し▲１１▼速度オーバーランプを点灯させる制御系と▲１４▼接続ケーブルを介して接続される。【００１０】  脱毛処理された領域を▲１２▼マーカーによって皮膚表面上に線引きして明らかにし、光の多重照射及び脱毛の斑を無くす事が可能になる。【００１１】  ▲１４▼接続ケーブルは、移動式フラッシュランプ脱毛機に繋ぎこまれる時に▲１５▼接続導入部を介する事により、移動式脱毛機の動きに対して接続ケーブルが十分な保護を与える事が可能になる。
【発明の効果】
【００１２】    以上に示したように、本考案の脱毛機を用いることにより、脱毛装置を扱う人が過度な負荷を負う事無く脱毛が行なえ、今まで起こってきたトラブル（火傷、脱毛の均一性）を回避できる。加えて均一なフラッシュランプからの光照射が連続的に行なえる事から、脱毛に使用される時間の短縮が可能となる。
【図面の簡単な説明】
【図１】移動式フラッシュランプ脱毛機
【符号の説明】
１．  移動持ち手
２．  エンコーダ付き車輪
３．  反射板
４．  フラッシュランプ
５．  熱電子冷却板
６．  底面冷却板
７．  ヒートシンク
８．  冷却ファン
９．  外装版
１０．スリット窓
１１．速度オーバーランプ
１２．マーカー
１３．電源及び制御部
１４．接続ケーブル
１５．接続導入部
【図１】
2005218824.tif 000003
(57)【要約】【課題】  背臥位にて殿部をクッション上に置き脊柱起立筋を伸長状態にさせ、そのまま下半身を左右に容易に倒せる事により、左右の脊柱起立筋を更に伸長する事ができ、椎体の運動性も改善する事ができる。【解決手段】  プレート１の上にクッション２と骨盤固定ベルト３、足部固定ベルト４をそれぞれ取り付ける。骨盤固定ベルト３と左右の足部固定ベルト４にそれぞれマジックテープ５，６，７を取り付ける。プレート１の下に弯曲脚８を取り付ける。【選択図】    図１
2005218825.tif 000002
【特許請求の範囲】
【請求項１】
背臥位にて殿部をクッション（１）にのせる事により、弯曲脚（８）の高さ分脊柱起立筋全体を伸長する事が出来る脊柱起立筋伸長器具
【請求項２】
骨盤部を骨盤固定ベルト（３）で、両脚を屈曲させた後の足部を足部固定ベルト（４）でそれぞれ固定する事により、骨盤より下の下半身を固定できる脊柱起立筋伸長器具
【請求項３】
プレート（２）の下に弯曲脚（８）を取り付けた事により、骨盤より下の下半身を容易に左右に倒す事ができ、それにより左右の脊柱起立筋を左右交互に更に伸長可能にし、推体の運動性も改善できる脊柱起立筋伸長器具
【発明の詳細な説明】
【発明の詳細な説明】
【０００１】    〔発明の属する技術分野〕
本発明は、背臥位にした患者の殿部をクッションに置く事により脊柱起立筋を伸長位に置く事が出来、両脚屈曲位で骨盤と両足をベルトで固定し、プレート下に弯曲脚を備えた事により、楽に両脚を左右に倒す事で、更に左右の脊柱起立筋を伸長する事ができ、推体の運動性も改善できる脊柱起立筋伸長器具に関する
【０００２】    〔従来の技術〕
従来の脊柱起立筋伸長器具においては、患者がベッド上に背臥位になり、骨盤に装具を装着し電動で牽引するようにしている
【０００３】    〔発明が解決しようとする課題〕
従来の脊柱起立筋伸長器具においては、背臥位にある患者の骨盤に装具を装着し牽引した場合は、たとえ強力に牽引しても椎体のみの牽引となるため、椎体の運動性の改善や脊柱起立筋の伸長ができないという問題があった
【０００４】  本発明は、単に脊柱起立筋を牽引し伸長するのではなく、脊柱起立筋の伸長姿位の状態で下半身をひねる事により、脊柱起立筋を更に伸長し推体の運動性も改善することを目的とする
【０００５】    〔課題を解決するための手段〕
上記の目的を達成するために、本発明の脊柱起立筋伸長器具においてはプレートの上には背臥位の患者の殿部を置くためのクッションを取り付け、患者の骨盤と足部を固定するためのベルトを取り付け、またプレートの下には患者の脊柱起立筋を伸長肢位におく高さをえるためと、下半身を容易に左右に倒せるように弯曲脚を取り付けた
【０００６】  上記固定ベルトは、骨盤を本体にしっかりと固定させるために伸縮性のあるベルトが効果的である
【０００７】    〔発明の実施の形態〕
発明の実施の形態を実施例にもとづき図面を参照して説明する
図１において、プレート（２）にクッション（１）を取り付け、骨盤固定ベルト（３）をクッション（１）を突き通しプレート（２）に取り付け、左右の足部固定ベルト（４）もプレート（２）に取り付ける。骨盤固定ベルト（３）と左右の足部固定ベルト（４）には、それぞれマジックテープ（５），（６），（７）を取り付ける
【０００８】  図２に示される実施例では、弯曲脚（８）をプレート（２）に取り付ける。
【０００９】    〔発明の効果〕
本発明は、以上説明したように構成されているので、以下に記載されるような効果を奏する。
【００１０】  プレート下に弯曲脚、プレート上にクッションを取り付けることにより、クッション上に患者の殿部が置かれた際、弯曲脚の高さ分患者の脊柱起立筋を伸長することができる。
【００１１】  クッション上に骨盤固定ベルトを、プレート上に左右の足部固定ベルトを取り付けることにより、患者の骨盤より下方の下半身をしっかりと本体に固着することができる。
【００１２】  プレート下に弯曲脚を取り付けることにより、本体に固着された患者の骨盤下の下半身を容易に左右に倒すことができ、それにより椎体のねじれ運動と、左右の脊柱起立筋が交互に伸長することができる。
【図面の簡単な説明】    〔図１〕
脊柱起立筋伸長器具の平面図である
〔図２〕
脊柱起立筋伸長器具の縦断面図である
〔図３〕
脊柱起立筋伸長器具の横断面図である
〔符号の説明〕
１  クッション
２  プレート
３  骨盤固定ベルト
４  足部固定ベルト
５，６，７    マジックテープ
８  弯曲脚
【図１】
2005218825.tif 000003
【図２】
2005218825.tif 000004
【図３】
2005218825.tif 000005
(57)【要約】      （修正有）【課題】突然、衝撃が加わった場合、刺し部が横に曲がり、突きささることを防ぐことができる２本仕様の調理用柔軟串を提供する。【解決手段】アルミ箔を棒状にして、中央を折り曲げ２本仕様の串にするが、刺し部は角を落とし上より２，３センチは薄仕上げ、以下刺し込み部は厚仕上げであるが柔軟性をもたせ、この形態に添う堅固な補助串を２本仕様の間にはさみ、刺し込みが済んだ時点で引き抜く調理用柔軟串。【選択図】図２
2005218838.tif 000002
【特許請求の範囲】
【請求項１】
直線串形の中央部を折り曲げ２本仕様にして、柔軟串となる２本仕様の間に、堅固な補助串を使用しながら刺し込むことができることを特徴とする調理用柔軟串。
【発明の詳細な説明】
【技術分野】
【０００１】本発明は、２重仕様の調理用柔軟串に関するものである。［背景技術］【０００２】従来、堅固な調理串があった。［発明の開示］［発明が解決しようとする課題］【０００３】そのために、次のような問題点があった。  金串、竹串、木串等の堅固な棒状で、幼児等が咽喉など突く心配があった。  本発明は、これらの問題を解決するためになされたものである。［課題を解決するための手段］【０００４】  熱にも水にも強いアルミ箔を棒状にするが、中央部で折り曲げることによる２本仕様にし、刺し部となる折山から２，３センチは薄仕上げ以下は厚仕上げの串にする。刺し部となる折山の角を落とし、食材は保つ強度であるが、柔軟性をもたせた串にする。  アルミ箔等重ねて作ることで柔軟性をもたせることができる。  柔軟性のため、刺す時点で使用する堅固な材質の串を用意する。以上を特徴とする調理用柔軟串である。［発明の効果］【０００５】突然、衝撃が加わった場合、刺し部が横に曲がり、突きささることを防ぐことができる。［発明を実施するための最良の形態］【０００６】  以下、本発明の実施の形態について説明する。  （イ）刺し部となる折山刺し部（１）は角を落とし、折山刺し部２，３センチまでは柔軟性をもたせるため薄仕上げに、以下刺しこみ部（２）は厚仕上げにした２本仕様の串。  （ロ）補助串（３）は、堅固な材質の１本仕様の串で柔軟串より２センチほど長くし、引き抜きやすくした形態である。［実施例１］【０００７】  補助串（３）を柔軟串２本仕様の間に差し込み、刺す時点での堅固さを保させる。  硬い素材として、肉、野菜、または団子等のとき使用して、刺しおわった時点でひきぬく。綿あめなどにも利用できる。
【図面の簡単な説明】
【０００８】
【図１】本発明の平面図
【図２】本発明の側面図補助串利用図［符号の説明］
【０００９】    １  折り山刺し部    ２  差し込み部    ３  補助串
【図１】
2005218838.tif 000003
【図２】
2005218838.tif 000004
(57)【要約】      （修正有）【課題】カ−ド収納ケ−スに於いて、カ−ドを挿入、取り出しの容易な、構造にする。【解決手段】カ−ドを入れるポケット室を構成する封筒状の袋の前後２枚の壁の右上隅を斜めに切り取って、カ−ドを掴める面積を大きく取り、且つ斜め部の前壁を後壁よりも数ミリメ−トル小さく切って、カ−ド挿入時にカ−ドを後壁に当てて滑らせ、挿入を容易にし、また前壁を透明又は、半透明にして、カ−ドの判別を容易にする。【選択図】    図１
2005218840.tif 000002
【特許請求の範囲】
【請求項１】
カ−ド収納ケ−スであって、カ−ドを収納する各ポケットの前後２枚の壁の底辺と両側を閉じ、ポケットの片側（例えば右側）の上端の隅を斜めに切断し、且つ斜めに切断した部分に於いて、前側の壁の斜切断部の端面を後ろ側の壁の斜切断部よりも数ミリメ−トル多く切り取ったポケットにしたカ−ド収納ケ−ス。
【請求項２】
前記カ−ド収納ケ−スに於いて、ポケットの、少なくも前側の壁が、透明又は半透明であるカ−ド収納ケ−ス。
【発明の詳細な説明】
【発明の詳細な説明】
【技術分野】
【０００１】本発明はカ−ド類を収納する  カ−ド収納ケ−スに属する。
【背景技術】
【０００２】従来のカ−ド収納ケ−スは、カ−ドを挿入し難く、取り出し難かった。
【発明の開示】
【発明が解決しようとする課題】
【０００３】解決しようとする問題は、カ−ドを挿入しやすく、取り出し易く、判別しやすい  カ−ド収納ケ−スを得る事。
【課題を解決するための手段】
【０００４】本発明はカ−ドを差し込む各カ−ド収納ポケットの例えば右上隅を斜めに切り取って、カ−ドを掴める面積を大きくし、ポケットの後壁がが前側の端よりも広く出ているから、カ−ドを挿入するとき、後壁に当てて滑らせ、容易に挿入できる。
又、斜めに上端を切り取ってあるために、カ−ドを見分け易いが、更に前壁を透明又は半透明にすることで、カ−ドを収納した儘で、見分ける事が出来る。
【発明の効果】
【０００５】本発明の効果として、収納しやすく、見分けやすく、取りだし易いカ−ド収納ケ−スが得られる。
【発明を実施する為の最良の形態】
【０００６】〔図１〕に本発明の外観を示したが、カ−ドを差し込むカ−ド収納ポケット
【３】単体を複数枚重ねて取り付ける時、左右端を共に固定してしまうとカ−ドは取り出しにくくなるから、揃えたカ−ド収納ポケットの、左端連結部
【１３】又は下端連結部
【１２】に於いて、重ねて結合し、〔図６〕或いは〔図８〕に示す様に、広げられる様に構成する。
各単体のカ−ド収納ポケット
【３】は、正面図〔図４〕、側面図〔図５〕に示す様に前壁
【４】と後壁
【５】を合わせて構成するが、ポケットの両端に薄い０、３ミリメ−トル位の厚さのスペ−サ−
【１０】、
【１１】を挟んでおくと、カ−ドは抜け落ちにくくなる。スペ−サ−間の距離は、カ−ド幅よりも５ミリメ−トル程広くとれば、挿入、取り出しが容易で、脱落も防止できる。
【実施例】
【０００７】外観図〔図１〕、正面図〔図２〕、側面図〔図３〕に示す様に、ケ−ス本体【２】の下端部に、複数個のカ−ド収納ポケット【３】と、カ−ドを１０枚位収納できる貯納室【６】を設け、上端部のカバ−【１】の内外面に、定期券、身分証明書等を表示できる窓’【８】、【９】を持つ収納部【７】を設ける。
カ−ド収納ポケット【３】は〔図４〕、〔図５〕に示す様に、前壁【４】の右上隅を後壁の、斜め切断部よりも４〜５ミリ引いてあるから、カ−ドを挿入するとき、カ−ドを後壁に当てて、間に差し込めるから、非常に容易である。又、複数枚のカ−ド収納ポケットを、重ねて固定すると、端を斜めに切って掴む面積を大きくしていても、各ポケットを、パラパラとめくれる様にした方が、遥かに楽に作業できるから、〔図６〕〔図８〕に示した様に、カ−ド収納ポケット【３】の、左端又は下端に連結部【１３】又は【１２】を設けて複数枚を連結した方がよい。【０００８】尚、カ−ド収納ポケット【３】を複数枚重ねたとき、右上隅だけ見えているよりも、前壁【４】が透明又は半透明である方が、カ−ドを判別しやすい。
此の場合、後壁【５】は不透明の方が  よくわかる。
【産業上の利用可能性】
【０００９】カ−ドの利用は今後も増え続けるであろうし、出し入れが容易で、判りやすく脱落しにくい  カ−ド収納ケ−スの需要は、増えると考えられる。
【図面の簡単な説明】
【００１０】
【図１】カ−ド収納ケ−スの外観図
【図２】カ−ド収納ケ−スの実施例正面図
【図３】同上、側面図
【図４】カ−ド収納ポケット、単体の説明図
【図５】同上、側面図
【図６】カ−ド収納ポケットを複数枚連結する例示図
【図７】カ−ドを挿入した例示図
【図８】カ−ド収納ポケットを複数枚、下端で連結した例示図
【符号の説明】
【００１１】１    カバ−部
２    ケ−ス本体
３    カ−ド収納ポケット
４    前壁
５    後壁
６    貯納室
７    定期券等の収納部
８    窓
９    窓
１０  スペ−サ−
１１  スペ−サ−
１２  連結部
１３  連結部
１４  カ−ド
【図１】
2005218840.tif 000003
【図２】
2005218840.tif 000004
【図３】
2005218840.tif 000005
【図４】
2005218840.tif 000006
【図５】
2005218840.tif 000007
【図６】
2005218840.tif 000008
【図７】
2005218840.tif 000009
【図８】
2005218840.tif 000010